【手続補正書】
【提出日】平成19年5月2日(2007.5.2)
【手続補正１】
【補正対象書類名】明細書
【補正対象項目名】特許請求の範囲
【補正方法】変更
【補正の内容】
【特許請求の範囲】
【請求項１】  第１論理チャネルの間にベアラデータパケットを受信することと、
前記第１論理チャネルとは異なる第２論理チャネルの間に、前記ベアラデータパケットに一致する誤り訂正データパケットを受信することと、
前記ベアラデータパケットを前記誤り訂正データパケットで訂正することと、
を備える、通信システムの伝送誤りを訂正する方法。
【請求項２】  さらに、
前記第１論理チャネルから、前記誤り訂正データパケットに一致する複数のベアラデータパケットを受信することと、
前記複数のベアラデータパケットを前記誤り訂正データパケットで訂正することと、
を備える、請求項１に記載の方法。
【請求項３】  第１時間期間中に複数のベアラデータパケットを受信することと、
前記第１時間期間とは異なる第２時間期間中の、前記ベアラデータパケットに一致する誤り訂正データパケットを受信することと、
前記ベアラデータパケットを前記誤り訂正データパケットで訂正することと、
を備える通信システムの伝送誤りを訂正する方法。
【請求項４】  複数の時間フレームのそれぞれを、少なくとも１つの帯域内時間スロットおよび少なくとも１つの帯域外時間スロットに分割することと、
前記少なくとも１つの帯域内時間スロット中にベアラデータパケットを受信することと、
前記少なくとも１つの帯域外時間スロット中の、前記ベアラデータパケットに一致する誤り訂正データパケットを受信することと、
前記誤り訂正データパケットを使用して前記ベアラデータパケットを訂正することと、
を備える、通信システムの伝送誤りを訂正する方法。
【請求項５】  前記ベアラデータパケットおよび前記誤り訂正データパケットがともに、前記複数の時間フレームの内の１つの間に受信される、請求項４に記載の方法。
【請求項６】  前記ベアラデータパケットが、前記複数の時間フレームの１つの間に受信され、前記誤りデータパケットが前記複数の時間フレームの内の別のものの間に受信される、請求項４に記載の方法。
【請求項７】  さらに、前記誤り訂正データパケットを使用して、前記複数のベアラデータパケットを訂正するステップを備える、請求項４に記載の方法。
【請求項８】  受信機と、
前記受信機に電気的に結合される誤り訂正デコーダと、
前記受信機および前記誤り訂正デコーダに電気的に結合されるベアラ／ＦＥＣデータレジスタと、
前記誤りエンコーダおよび前記ベアラ／ＦＥＣデータレジスタに電気的に結合されるプロセッサであって、
帯域内時間スロット中にベアラデータパケットを受信することと、
帯域外時間スロット中に、前記ベアラデータパケットに一致する誤り訂正データパケットを受信することと、
前記誤り訂正エンコーダに、前記誤り訂正データパケットを使用して前記ベアラデータパケットを訂正するように命令することと、
のためのステップを備えるコンピュータプログラムと、
を備える前記プロセッサと、
を備える通信端末。
【請求項９】  前記コンピュータプログラムが、さらに、
複数の時間フレームの間にそれぞれ、前記誤り訂正データパケットに一致する複数のベアラデータパケットを受信することと、
前記ベアラ／ＦＥＣデータレジスタに、前記複数のベアラデータパケットを記憶、蓄積するように命令することと、
前記誤り訂正エンコーダに、前記複数のベアラデータパケットを、前記誤り訂正データパケットで訂正するように命令することと、
のためのステップを備える、請求項８に記載の通信端末。
【請求項１０】  さらに、
送信機と、
前記受信機に電気的に結合される誤り訂正エンコーダと、
前記受信機および前記誤り訂正デコーダに電気的に結合されるＦＥＣデータレジスタと、
を備え、そこでは
前記プロセッサが、前記誤り訂正デコーダおよび前記ＦＥＣデータレジスタに電気的に結合され、前記コンピュータプログラムが、さらに、
別の帯域内時間スロットの間に別のベアラデータパケットを伝送することと、
前記誤り訂正エンコーダに、前記別のベアラデータパケットから別の誤り訂正データパケットを生成するように命令することと、
別の帯域外時間スロットの間に、前記別のベアラデータパケットに一致する別の誤り訂正データパケットを伝送することと、
を備える、請求項８に記載の通信端末。
【請求項１１】  さらに、
送信機と、
前記受信機に電気的に結合される誤り訂正エンコーダと、
前記受信機および前記誤り訂正デコーダに電気的に結合されるＦＥＣデータレジスタと、
を備え、そこでは
前記プロセッサが、前記誤り訂正デコーダおよび前記ＦＥＣデータレジスタに電気的に結合され、前記コンピュータプログラムが、さらに、
複数の時間フレーム上で別の帯域内時間スロットの間に複数のベアラデータパケットを伝送することと、
前記誤り訂正エンコーダに、前記複数のベアラデータパケットから誤り訂正データを生成するように命令することと、
前記ＦＥＣデータレジスタに、前記誤り訂正データを蓄積および記憶するように命令することと、
単一時間フレームの上で帯域外スロットの間に前記誤り訂正データを別の誤り訂正データパケットとして伝送することと、
を備える、請求項９に記載の通信端末。
【請求項１２】  さらに、前記受信機および前記送信機に結合されるアンテナを備える、請求項１１に記載の通信端末。
【手続補正２】
【補正対象書類名】明細書
【補正対象項目名】００１６
【補正方法】変更
【補正の内容】
【００１６】
ＦＥＣトランスバンド遠隔局１０６は、それぞれ、その間にそれらが、それぞれ、ベアラデータパケットをＦＥＣトランスバンド中央局１０４から受信するダウンリンク帯域内時間スロット１０９（１）に割り当てられる（この場合、それぞれのＦＥＣトランスバンド遠隔局１から４に時間スロットＤ１、Ｄ２、Ｄ５およびＤ７）。ＦＥＣトランスバンド遠隔局１０６は、それぞれ、その間にそれらが、それぞれベアラタパケットをＦＥＣトランスバンド中央局に伝送するアップリンク帯域内時間スロット１０９（２）に割り当てられる（この場合、それぞれのＦＥＣトランスバンド遠隔局１０４に時間スロットＵ４、Ｕ５、Ｕ８およびＵ１０）。分かるように、遅延のいくつかの時間スロット、この場合には３個を、対応するダウンリンク時間スロット１１０（１）とアップリンク時間スロット１１０（２）の間で引き出すことができ、ＦＥＣ動的遠隔局１０６内に追加ハードウェアを設置する必要性を未然に防ぐ。遅延のいくつかの時間スロットを考慮しても、遠隔局１０６が、同じスロット内で、ベアラデータを伝送し、誤り訂正データを受信する場合、あるいはその逆の場合（例えば、遠隔局１は時間スロットＤ１でベアラデータを伝送し、時間スロットＵ１で誤り訂正データを受信する）この遠隔局が追加のハードウェアを必要とするだろうことが注意されなければならない。しかしながら、一般的には、システムはこれが発生しないように構成することができる。システムの特定のプロトコルに応じて、未使用の時間スロット組１１０（１）／（２）は、他のＦＥＣトランスバンド遠隔局１０６によって、あるいは代わりにＦＥＣトランスバンド中央局１０４とＦＥＣトランスバンド遠隔局１０６の間での制御データの伝送、あるいはＦＥＣトランスバンド中央局１０４からの一斉送信データの伝送などの多様なそれ以外の機能をサポートするためにし様できる遊休時間スロットである。
【手続補正３】
【補正対象書類名】明細書
【補正対象項目名】０１１８
【補正方法】変更
【補正の内容】
【０１１８】
ＦＥＣトランスバンド中央局１０４が、そのオーバヘッド定格を調整しようとするＦＥＣトランスバンド遠隔局１０６から制御信号を受信すると、ＦＥＣトランスバンド中央局プロセッサ１１２’は、オーバヘッドが増加する場合には増加したシステムデータオーバヘッドをサポートし、オーバヘッドが減少する場合には、帯域外時間スロット組１１１（１）／（２）への遠隔局１０６の現在の割当てを必要な場合に改変することによって帯域内時間スロット組１０９（１）／（２）として使用されるのに入手可能な未使用の時間スロット組１１０（１）／（２）の量を最大限にする将来の遠隔局割当て組み合わせを選択することによって、オーバヘッドの改変に対処する。